(57)【要約】【課題】発光体基板の外光の拡散反射を低減し、高い明所コントラストを実現する。【解決手段】発光体基板は、凹凸表面２ｂを有する光透過性基板２と、光透過性基板２の凹凸表面２ｂ上に設けられた黒色部材４および蛍光体３と、を有している。蛍光体３が配置された領域から黒色部材４が配置された領域を、光透過性基板２内を透過して見た見込み角の、蛍光体３が連続して配置された部分における平均値が８０度以上である。【選択図】図３
2008293880.tif 000002
【特許請求の範囲】
【請求項１】
凹凸表面を有する光透過性基板と、
前記光透過性基板の前記凹凸表面上に設けられた黒色部材および蛍光体と、
を有し、
前記蛍光体が配置された領域から前記黒色部材が配置された領域を、前記光透過性基板内を透過して見た見込み角の、前記蛍光体が連続して配置された部分における平均値が８０度以上である、ことを特徴とする発光体基板。
【請求項２】
前記見込み角の平均値は１４０度以下である、請求項１に記載の発光体基板。
【請求項３】
前記見込み角の平均値は１２０度以下である、請求項１に記載の発光体基板。
【請求項４】
前記凹凸表面の凹凸形状はブラスト加工によって形成されている、請求項１から３のいずれか１項に記載の発光体基板。
【請求項５】
前記凹凸表面は、２つの底部と該底部に挟まれた頂部とを有し、
前記蛍光体は更に、前記頂部と前記２つの底部のうち一方の底部との間の斜面上に設けられ、
前記黒色部材は更に、前記頂部と前記２つの底部のうち他方の底部との間の斜面上に設けられている、
請求項１から４のいずれか１項に記載の発光体基板。
【請求項６】
前記凹凸表面は、前記頂部を挟む更に２つの頂部を有し、
前記蛍光体は、前記頂部と前記２つの頂部のうち一方の頂部との間の斜面上に設けられ、
前記黒色部材は、前記頂部と前記２つの頂部のうち他方の頂部との間の斜面上に設けられている、
請求項５に記載の発光体基板。
【請求項７】
前記頂部に対する前記他方の底部の深さは、前記頂部に対する前記一方の底部の深さよりも大きい、請求項６に記載の発光体基板。
【請求項８】
前記凹凸表面は、前記頂部を挟む更に２つの頂部を有し、
前記黒色部材は更に、前記一方の底部と前記２つの頂部のうち一方の頂部との間の斜面上に設けられ、
前記蛍光体は更に、前記他方の底部と前記２つの頂部のうち他方の頂部との間の斜面上に設けられている、
請求項５に記載の発光体基板。
【請求項９】
前記凹凸表面は、２つの底部と該底部に挟まれた平坦面とを有し、
前記蛍光体は前記平坦面に設けられ、
前記黒色部材は、前記平坦面と前記２つの底部との間の各々の斜面上に設けられている、
請求項１から４のいずれか１項に記載の発光体基板。
【請求項１０】
請求項１から９のいずれか１項に記載の発光体基板を有する画像表示装置。
【発明の詳細な説明】
【技術分野】
【０００１】
本発明は発光体基板および画像表示装置に関し、特に、発光体基板の表面構造に関する。
【背景技術】
【０００２】
画像表示面に蛍光体と黒色部材とを備えた画像表示装置では、電子源から放出された電子が蛍光体に衝突して、蛍光体が発光して画像が表示される。黒色部材は蛍光体で構成された各画素を仕切り、コントラストを向上させる。画像表示面は、ガラス等からなる光透過性基板上に蛍光体と黒色部材とが設けられた発光体基板によって形成される。このような画像表示装置において、外光が画像表示面にあたると蛍光体で反射し、明所コントラストが悪化することが知られている。
【０００３】
この問題に対処するため、特許文献１には、パネル面の内面をフッ酸でエッチングし、表面粗さを増大させる技術が開示されている。表示パネルの内面は、所謂スモーク化され、パネルの内面に入った外来光は散乱する。また、同文献には酸化ケイ素の超微粒子を添加した液体をパネルの内面に塗布し、反射防止膜を形成する技術が開示されている。外光は反射防止膜によって吸収されるため、外光の反射によるコントラストの悪化が防止できる。
【０００４】
特許文献２には、アノードプレートの内側面に、峰部と谷部とを画定する溝を設ける技術が開示されている。アノードプレートの内側面は、３角プリズムが並置されたようなのこぎり波状の断面形状を有し、プリズムの頂点は光吸収材で被覆されている。周辺光はプリズムによって後方（パネル内面方向）に透過し、光吸収材で吸収されるため、周辺光の反射が減少する。
【特許文献１】特開平０７−１５３３８６号公報
【特許文献２】特開平０８−２５５５８３号公報
【発明の開示】
【発明が解決しようとする課題】
【０００５】
特許文献１及び特許文献２に記載されている画像表示装置では、外光を散乱または吸収させることによって外光の反射を防止し、それによって明所コントラストの改善が図られる。しかし、これらの技術では散乱または吸収される外光の割合はさほど大きくなく、多くの外光は蛍光面で反射してしまう。例えば、特許文献１の技術では、反射光の光量はパネルの内面のスモーク化あるいは反射防止膜によって減少するが、蛍光面から出射される画像表示光の光量も減少するおそれがあるため、外光の反射防止には限界がある。特許文献２の技術ではプリズムの頂点に侵入した光はある程度光吸収材で吸収されるが、より効果的に外光の拡散反射を低減することが望まれている。
【０００６】
本発明は、外光の拡散反射を低減し、高い明所コントラストを実現することができる発光体基板を提供することを目的とする。本発明はまた、このような発光体基板を用いた画像表示装置を提供することを目的とする。
【課題を解決するための手段】
【０００７】
本発明の発光体基板は、凹凸表面を有する光透過性基板と、前記光透過性基板の前記凹凸表面上に設けられた黒色部材および蛍光体と、を有している。前記蛍光体が配置された領域から前記黒色部材が配置された領域を、前記光透過性基板内を透過して見た見込み角の、前記蛍光体が連続して配置された部分における平均値が８０度以上である。
【０００８】
本発明の画像表示装置は、上述の発光体基板を有している。
【発明の効果】
【０００９】
本発明によれば、外光の拡散反射を低減し、高い明所コントラストを実現することができる発光体基板を提供することができる。本発明はまた、このような発光体基板を用いた画像表示装置を提供することができる。
【発明を実施するための最良の形態】
【００１０】
本発明の発光体基板は、蛍光体および黒色部材を備えた電子線表示装置用フェースプレートに適用できる。電子線表示装置の例として、ＣＲＴ(Cathode Ray Tube)およびＦＥＤ(Field Emission Display)が挙げられる。特に、ＦＥＤはビーム径が絞りやすく、黒色部材の面積の確保が容易であるため、本発明の発光体基板を好適に適用できる。
【００１１】
本発明の実施形態を、ＦＥＤの中でも表面伝導型電子放出素子を用いた画像表示装置として知られるＳＥＤ(Surface-conduction Electron-emitter Display)を例に、図面を参照して詳細に説明する。
【００１２】
図１は、本発明の一実施形態に係る画像表示装置の基本構成を示す部分破断斜視図である。画像表示装置１００は、フェースプレート（発光体基板）１と、リアプレート７と、外枠１２と、を有している。外枠１２はフェースプレート１とリアプレート７とを接続し、フェースプレート１およびリアプレート７とともに真空容器６を形成している。画像表示装置１００は真空容器６の他、不図示の電源や駆動回路等を有している。
【００１３】
リアプレート７はガラス基板８の上に走査配線９、信号配線１０、および表面伝導型電子放出素子（以下、ＳＣＥという。）１１が形成された構成を備えている。走査配線９はＮ本、信号配線１０はＭ本、ＳＣＥ１１はＮ×Ｍ個形成されている。Ｎ及びＭは正の整数であり、目的とする表示画素数に応じて適宜設定される。例えばＦＨＤ(Full High Definition)仕様であれば、Ｎ＝１０８０本、Ｍ＝１９２０×３＝５７６０本である。走査配線９および信号配線１０は、それぞれ真空容器６の端子Ｄｙｎ（ｎは１〜Ｎ）および端子Ｄｘｍ（ｍは１〜Ｍ）と電気的に接続され、駆動回路より、それぞれ走査信号と、画像信号とが与えられる。ＳＣＥ１１は信号に応じた電子を放出する。
【００１４】
フェースプレート１は、光透過性基板２の上に蛍光体３と黒色部材４とが形成され、その上にメタルバック５が形成された構成を備えている。光透過性基板２は、真空維持や強度の点からガラス基板であることが好ましい。図２は、黒色部材と蛍光体の配置を示す概念図である。光透過性基板２の上にマトリクス状の黒色部材４が形成され、蛍光体３がストライプ状に塗り分けられている。カラー表示用の画像表示装置の場合、蛍光体３は、典型的にはＲＧＢ（赤緑青）に塗り分けられている。塗り分けパターンは表示特性に応じて適宜決定でき、特に限定されない。メタルバック５は真空容器６のＨｖ端子と電気的に接続され、図示しない高圧電源より１ｋＶ〜１５ｋＶ程度の高圧が印加される。ＳＣＥ１１から放出された電子はメタルバック５に印加された電位によってメタルバック５に引き寄せられ、メタルバック５を突き抜ける。メタルバック５を突き抜けた電子は蛍光体に衝突し、蛍光体を発光させる。輝度はメタルバック５の電位や信号によって調整することができる。
【００１５】
図３は、図１のＹ−Ｙ方向に切ったフェースプレートの一断面の拡大図である。光透過性基板２は視聴者側の外側面２ａと、外側面２ａの裏面である内側面とを有している。内側面は真空容器６の内側に配置される面であり、凹凸形状を備えた凹凸表面となっている。以下、内側面を凹凸表面２ｂと呼ぶ。黒色部材４および蛍光体３は、光透過性基板２の凹凸表面上に設けられている。尚、以下に説明する構成は、Ｙ方向で凹凸形状を有するものであるが、凹凸形状がＸ方向またはＹ方向の少なくともいずれかで有していればよい。
【００１６】
ここで、本明細書で用いる用語の定義をまとめて説明する。凹凸表面２ｂにおいて、外側面２ａ側に凹み、該凹みの最も外側面２ａに近い部分を底部１４という。凹凸表面２ｂにおいて、外側面２ａに対して凸となる部分の最も外側面２ａから遠い部分を頂部１５という。一つの底部１４の両側の、斜面１６が延びている領域を凹部１７という。互いに隣接する底部１４に挟まれた領域を単位領域１８と呼ぶ。本実施形態では、凹部１７は連続して配置され、凹凸表面２ｂの凹凸形状を形成している。また、本実施形態では、単位領域１８は凹凸形状の一周期に相当している。
【００１７】
単位領域１８には、黒色部材４の一部と、蛍光体３の一部と、が設けられている。具体的には、単位領域１８内の互いに対向する斜面の一方（斜面１６ａ）に黒色部材４が、斜面の他方（斜面１６ｂ）に蛍光体３が設けられている。蛍光体３は、隣接する２つの凹部１７のうち、一方の凹部１７ａの両側の斜面上に設けられ、黒色部材４は、他方の凹部１７ｂの両側の斜面上に設けられている。これは、画素周期が凹部１７の配列周期の２倍となっていることを示す。また、光透過性基板２の凹凸形状によって、光透過性基板２の凹凸表面２ｂには突状部２ｃが形成されている。突状部２ｃの位置および周期は単位領域１８の位置および周期と一致している。
【００１８】
一つの単位領域１８の蛍光体３の任意の一点からは、光透過性基板２の凸状部２ｃを透過して、同じ単位領域１８の黒色部材４が見える。本実施形態では、蛍光体３が配置された領域から黒色部材４が配置された領域を、光透過性基板内を透過して見た見込み角の、蛍光体３が連続して配置された部分における平均値が８０度以上であるように構成する。ここで見込み角とは、蛍光体３が配置された領域内の点と、黒色部材４が配置された領域内であって該点から光透過性基板内を透過して直視可能な部分の両端と、を結ぶ線がなす角度をいう。任意の一点を長さｄＬの微小領域に置き換え、微小領域（長さｄＬ）における黒色部材４の見込み角をｄθとすると、平均見込み角θは数式１で表される。また、蛍光体３が連続して配置された部分とは、蛍光体３が黒色部材４で断絶されることなく連続的に配置された区画のことを言う。図３では凹部１７ａがこれに該当する。
【００１９】
【数１】
2008293880.tif 000003
【００２０】
一つの単位領域１８には黒色部材４と蛍光体３とが設けられている。したがって、一つの単位領域１８に入射した外光のうち、黒色部材４に入射した光の多くは吸収され、蛍光体３に入射した光の多くは反射する。反射した光の一部は光源側に戻っていくが、他の光は当該単位領域内の他の部位に再度入射する。反射光が黒色部材４に入射した場合には吸収され、蛍光体に入射した場合には一部が吸収され、他の一部は反射および再入射を繰り返す。単位領域１８に入射した光の多くは、このようにして、最終的に同じ単位領域１８の黒色部材４で吸収される。
【００２１】
図４は、平均見込み角と拡散反射率との関係を示すグラフである。グラフは凹凸がない場合（平均見込み角＝０）を１として基準化して示している。拡散反射率は平均見込み角の増加とともに減少し、８０度程度で凹凸がない場合のおよそ半分になる。しかし、拡散反射率は８０度程度でほぼ飽和し、それ以上増やしてもほとんど効果はない。外光は、蛍光体３では５０％程度拡散反射されるが、黒色部材４では１％程度しか拡散反射されない。見込み角を８０度以上とすることによって、蛍光体３からの外光拡散反射を、効果的に黒色部材４に再入射させ吸収させることが可能となり、外光の拡散反射を低減することができる。
【００２２】
図５は、画像表示装置のサイズ、視聴距離、および凹凸の大きさが視野角に及ぼす影響を示す模式図である。同図（ａ）に示すように、画像表示装置の高さをＨ、視聴距離をＬとする。同図（ｂ）は光透過性基板の凹部の開口幅と深さのアスペクト比（深さ／開口幅）がＬ／Ｈ以上である場合の状況を、同図（ｃ）はＬ／Ｈ未満である場合の状況をそれぞれ示している。アスペクト比がＬ／Ｈ以上の場合、視聴者の視線が凹凸形状の頂部と干渉し、視聴者が凹凸形状の斜面に形成された蛍光体を直視できないため、視野角上好ましくない。アスペクト比がＬ／Ｈ未満の場合、凹凸形状の斜面に形成された蛍光体を直視できるため、視野角上優れている。推奨視聴距離は画像表示装置にもよるが、１９２０×１０８０画素のＦＨＤでは３Ｈといわれ、望ましい凹凸アスペクト比は３以下となる。平均見込み角は凹凸のアスペクト比に依存しており、凹凸アスペクト比を３以下とするためには、平均見込み角は１４０度以下であることが好ましい。さらに大画面の画像表示装置では、実際の視聴距離が２Ｈ程度に近づくことも予想され、その場合、凹凸アスペクト比は２以下、平均見込み角は１２０度以下とすることがより好ましい。
【００２３】
一般に、空間周波数が低いと視聴者はコントラストを感じにくくなるため、平均見込み角が８０度未満となる場所は、典型的には画像が表示される領域の１割未満であればよい。
【００２４】
本発明の光透過性基板の形態としては、図３に示す形態に限られず、図７や図９に示す形態であってもよい。
【００２５】
図３は、蛍光体３が、頂部１５と、該頂部１５を挟む２つの頂部１５のうち一方の頂部１５と、の間の斜面上に設けられ、黒色部材４が、頂部１５と、２つの頂部のうち他方の頂部１５との間の斜面１６上に設けられている形態である。
【００２６】
図７および９は、黒色部材４が、蛍光体３側の底部１５と、頂部１５を挟む２つの頂部１５のうち一方の頂部１５と、の間の斜面１６上に設けられている形態である。また、この形態では、蛍光体３が、黒色部材４側の底部１４と２つの頂部１５のうち他方の頂部１５との間の斜面１６上に設けられている。図７は、凹凸１周期で１画素を形成しているのに対し、図９は、凹凸２周期で１画素を形成している点が異なる。
【００２７】
また、図１１のように、凹凸表面が、２つの底部と該底部に挟まれた平坦面とを有し、蛍光体３が平坦面に設けられ、黒色部材４が、平坦面と２つの底部との間の各々の斜面上に設けられている形態であってもよい。
【００２８】
平均見込み角が８０度以上であれば、凹凸形状は必ずしも周期的に配列していなくてもよい。凸状部２ｃの形状も山形に限らず、三角形状や矩形状であってもよい。同様に、凹部の形状も正弦波状、Ｖ字形状、Ｕ字形状、円弧状、台形状でもよい。また、図６に示すように、黒色部材４が設けられた領域の、頂部１５に対する底部１４の深さは、蛍光体３が設けられた領域の、頂部１５に対する底部１４の深さよりも大きくてもよい。黒色部材４の存在する凹部１７ｂが視野角を妨げない程度に深いと、蛍光体３が配置される領域を大きくしても８０度以上の平均見込み角を容易に確保できる。なお、図６では、図１と同様の構成部材には同じ部品番号を与えている。
【００２９】
平均見込み角は、光透過性基板２のどの断面を仮定するかによって異なり、理想的には任意の断面で８０度以上の平均見込み角が得られることが望ましい。しかし、光透過性基板２と直交する少なくとも一つの断面において８０度以上の平均見込み角が得られれば、本発明の効果を得ることができる。
【００３０】
凹凸形状は、既知の機械切削、エッチング、ブラストなどで加工できる。なかでも生産性、精度や大画面対応の点からブラスト加工が好ましい。
【００３１】
以上説明したように、本実施形態の光透過性基板は、表面に比較的大きな凹凸をつけて、拡散反射をした光を凹凸表面でトラップする構造である。したがって、本実施形態の光透過性基板を用いた画像表示装置は、従来の画像表示装置と比較して同一輝度での明所コントラストが改善され、かつ暗色を忠実に表現することができる。
【実施例】
【００３２】
以下、本発明の発光体基板および画像表示装置の実施例を説明する。
【００３３】
（実施例１）
本実施例では本発明の一例である発光体基板を実際に作成し、その効果を確認した。
【００３４】
まず、図１で示す走査配線９と垂直な方向（Ｙ方向）に凹凸形状を形成するため、パターンでガラス基板２をマスクし、ブラストによって深さ約２２０μｍ、配列周期３００μｍの凹凸形状を形成した。
【００３５】
次に、黒色のガラスペーストをスクリーン印刷し、乾燥および焼成工程を経て黒色部材４を形成した。黒色部材４はＹ方向に幅３００μｍとし、一つおきの凹部の上に形成した。さらに走査配線９と平行な方向（Ｘ方向）に、配列周期２００μｍ、幅５０μｍのパターンを形成した。この結果、黒色部材４は一つおきの凹部が開口となったマトリクス状に形成された。また、黒色部材４には、Ｙ方向に３００μｍ、Ｘ方向に１５０μｍの開口部が形成された。さらに、黒色部材４の開口部（光透過性基板２の凹部）に蛍光体をスクリーン印刷し、蛍光体３が配置される領域を形成した。蛍光体はＹ方向には同色で、Ｘ方向にＲＧＢの順で塗り分け、焼成した。したがって、各色の配列周期２００μｍの３倍が画素周期となり、Ｘ方向の画素周期は６００μｍとなる。
【００３６】
次に、フィルミングを全面に施し、乾燥させた後、メタルバック５を真空蒸着した。その後焼成してフィルミング材を焼き飛ばすことによって、発光体基板１を得た。得られた発光体基板の上面図は図２に示すとおりである（メタルバックは不図示）。
【００３７】
このようにして得た発光体基板１の凹凸形状を、レーザー顕微鏡にて、画像表示領域の中央部や周縁部で任意の１０点で測定し、計算により蛍光体から黒色部材への平均見込み角を求めたところ、いずれの点でもおよそ８０度であった。
【００３８】
この発光体基板１を用いてＳＥＤを作製し、平均見込み角がほぼ０度のＳＥＤと同じ輝度で比較したところ、明所コントラストが１.８倍に改善された。また、明所で画像を表示させたところ、黒の深みのある画像が表示できた。
【００３９】
（実施例２）
本実施例は、実施例１に対し、黒色部材と蛍光体の配置パターンが異なり、それ以外の構成は同様である。したがって、以下の記載以外の点については実施例１の説明を参照されたい。図７は、本実施例に係る発光体基板の断面図、図８は、図７に示す発光体基板の上面図である。
【００４０】
本実施例では、蛍光体３は、凹部１７の両側の斜面１６のうち、一方の斜面１６ａ上に設けられ、黒色部材４は、他方の斜面１６ｂ上に設けられている。一実施例では、凹凸の周期を画素周期と同じ６００μｍ、凹凸の深さは４３０μｍとした。平均見込み角を実施例１と同様の方法で算出したところ、およそ８０度であった。本実施例の発光体基板１を用いてＳＥＤを作製し、平均見込み角がほぼ０度のＳＥＤと比較したところ、同一輝度での明所コントラストが１.８倍に改善された。また、明所で画像を表示させたところ、黒の深みのある画像が表示できた。
【００４１】
（実施例３）
本実施例は、実施例１に対し、黒色部材と蛍光体の配置パターンが異なり、それ以外の構成は同様である。したがって、以下の記載以外の点については実施例１の説明を参照されたい。図９は、本実施例に係る発光体基板の断面図、図１０は、図９に示す発光体基板の上面図である。
【００４２】
本実施例でも、実施例２と同様、蛍光体３は、凹部１７の両側の斜面１６のうち、一方の斜面１６ａ上に設けられ、黒色部材４は、他方の斜面１６ｂ上に設けられている。しかし、実施例２とは、Ｙ方向の凹凸２周期で１画素を形成している点が異なる。実施例２と同様の寸法関係で発光体基板を作成し、平均見込み角を第１、第２の実施例と同様の方法で算出したところ、およそ８０度であった。本実施例の発光体基板１を用いてＳＥＤを作製し、平均見込み角がほぼ０度のＳＥＤと比較したところ、同一輝度での明所コントラストが１.８倍に改善された。また、明所で画像を表示させたところ、黒の深みのある画像が表示できた。
【００４３】
（実施例４）
本実施例は、実施例１に対し、黒色部材と蛍光体の配置パターンが異なり、それ以外の構成は同様である。したがって、以下の記載以外の点については実施例１の説明を参照されたい。図１１は、本実施例に係る発光体基板の断面図である。本発光体基板の平面図は図２と同様である。本実施例では、凹凸表面は、隣接する凹部１７ａ，１７ｂの間に位置する平坦面１９を有している。蛍光体３は平坦面１９に設けられ、黒色部材４は、平坦面１９に隣接する両側の凹部１７ａ，１７ｂの斜面であって、平坦面１９に面する斜面１６ｃ，１６ｄ上に設けられている。本実施例では、単位領域１８は、平坦面１９とその両側の凹部１７ａ，１７ｂのうち当該平坦面１９に面した斜面１６ｃ，１６ｄが存在する部分となる。
【００４４】
凹部の形状は、実施例１乃至３と同様、正弦波状、Ｖ字形状、Ｕ字形状、円弧状、台形状であってもよく、さらにコの字状であってもよい。本実施例では、蛍光体が平坦面１９に形成されているため、蛍光体の厚みムラが抑えられるというメリットがある。本実施例では、幅３００μｍの凹部に隣接して幅３００μｍの平坦面を形成した。凹部の深さは２６０μｍとし、平坦面１９に蛍光体３を、凹部に黒色部材４を塗布形成した。画素周期は平坦面と凹部の合計の６００μｍである。平均見込み角を実施例１と同様の方法で算出したところ、およそ８０度であった。本実施例では平均見込み角は両側の１６ｃ，１６ｄに対する見込み角の総和となる。本実施例の発光体基板１を用いてＳＥＤを作製し、平均見込み角がほぼ０度のＳＥＤと比較したところ、同一輝度での明所コントラストが１.８倍に改善された。また、明所で画像を表示させたところ、黒の深みのある画像が表示できた。さらに、実施例１と同条件で駆動したところ、蛍光体の厚みムラが抑えられた効果によって、より高い輝度が得られることが確認された。
【００４５】
（比較例）
最後に比較例として、凹凸深さが１５０μｍとした点を除き実施例１で述べた構成と同様の発光体基板を作成した。実施例１と同様の方法で算出したところ、平均見込み角はおよそ６０度であった。この発光体基板を用いてＳＥＤを作製し、平均見込み角がほぼ０度のＳＥＤと比較したところ、同一輝度での明所コントラストの改善は１.４倍程度に留まった。また、明所で実施例と同じ画像を表示させたところ、画像全体が白っぽく表示された。
【図面の簡単な説明】
【００４６】
【図１】本発明の一実施形態に係る画像表示装置の基本構成を示す部分破断斜視図である。
【図２】黒色部材と蛍光体の配置を示す概念図である。
【図３】図１のＹ−Ｙ方向に切ったフェースプレートの断面図である。
【図４】平均見込み角と拡散反射率との関係を示すグラフである。
【図５】画像表示装置のサイズ、視聴距離、および凹凸の大きさが視野角に及ぼす影響を示す模式図である。
【図６】実施形態の変形例を示す発光体基板の断面図である。
【図７】実施形態の変形例を示す発光体基板の断面図である。
【図８】図７に示す発光体基板の上面図である。
【図９】実施形態の変形例を示す発光体基板の断面図である。
【図１０】図９に示す発光体基板の上面図である。
【図１１】実施形態の変形例を示す発光体基板の断面図である。
【符号の説明】
【００４７】
２  光透過性基板
２ａ  外側面
２ｂ  凹凸表面
２ｃ  凸状部
３  蛍光体
４  黒色部材
５  メタルバック
１４  底部
１５  頂部
１６  斜面
１７  凹部
１８  単位領域
【図１】
2008293880.tif 000004
【図２】
2008293880.tif 000005
【図３】
2008293880.tif 000006
【図４】
2008293880.tif 000007
【図５】
2008293880.tif 000008
【図６】
2008293880.tif 000009
【図７】
2008293880.tif 000010
【図８】
2008293880.tif 000011
【図９】
2008293880.tif 000012
【図１０】
2008293880.tif 000013
【図１１】
2008293880.tif 000014